(57)【要約】【課題】 小型携帯式で、異なる種類の電子製品に電力供給が可能な携帯式多機能変圧電源蓄電供給器を提供する。【解決手段】変圧電源制御回路、一個以上のリチウム鉄或いはリチウム重合物電池、電源蓄電供給器からなり、該変圧電源制御回路は該電源蓄電供給器内に設置し、該リチウム鉄或いはリチウム重合物電池は該電源蓄電供給器内に設置し、該リチウム鉄或いはリチウム重合物電池と該変圧電源制御回路は相互に接続する。該電源蓄電供給器は電源入力コネクター及び少なくとも二個以上のコネクターを設置し、該コネクターは複数種の異なる種類のコネクターであり、該リチウム鉄或いはリチウム重合物電池の体積が小さく、高容量高放電の特性と複数種の異なる種類のコネクターを備える電源蓄電供給器に加え、該電源蓄電供給器内には変圧電源制御回路を設置すた変圧電源蓄電供給器。【選択図】  図１
0003140020.tif 000002
【実用新案登録請求の範囲】
【請求項１】
主に携帯式多機能変圧電源蓄電供給器は、変圧電源制御回路、一個以上のリチウム鉄或いはリチウム重合物電池、電源蓄電供給器からなり、
前記変圧電源制御回路は該電源蓄電供給器内に設置し、該変圧電源制御回路の出力端は該電源蓄電供給器の各コネクターと相互に接続し、該変圧電源制御回路の入力端は該電源蓄電供給器の電源入力コネクターと相互に接続し、
前記リチウム鉄或いはリチウム重合物電池は該電源蓄電供給器内に設置し、しかも該リチウム鉄或いはリチウム重合物電池と該変圧電源制御回路は相互に接続し、
前記電源蓄電供給器は電源入力コネクター及び少なくとも二個以上のコネクターを設置することを特徴とする携帯式多機能変圧電源蓄電供給器。
【請求項２】
前記電源蓄電供給器のコネクターは、電源出力コネクター、ＵＳＢコネクター、Fire Wire400コネクター、Fire Wire800コネクター、ＲＪ-４５コネクター、５Ｖコネクター、１２Ｖコネクター、大４PINコネクター、小４PINコネクター、８PINコネクター、ＰＣＩ-Ｅ電源出力コネクター、Ｓ-ＡＴＡ電源出力コネクター、２４PIN主電源出力コネクター或いはバッテリーコネクターであることを特徴とする請求項１記載の携帯式多機能変圧電源蓄電供給器。
【請求項３】
前記電源蓄電供給器上にはディスプレーを設置し、しかも、該ディスプレーは該変圧電源制御回路と相互に接続し、また該電源蓄電供給器上には一個以上の凹槽を設置し、しかも該凹槽には可動ハンドルを設置することを特徴とする請求項１記載の携帯式多機能変圧電源蓄電供給器。
【考案の詳細な説明】
【技術分野】
【０００１】
本考案は、一種の携帯式多機能変圧電源蓄電供給器に関し、特に、小型携帯式で異なる種類の電子製品に電力供給可能な変圧電源蓄電供給器を達成する携帯式多機能変圧電源蓄電供給器に係る。
【背景技術】
【０００２】
従来公知の中華民国特許公報公告592403号の「ロングライフ電池を提供する電力供給装置及び内蔵式ＵＰＳ」は、ＵＰＳをコンピュータ内に内蔵し、これにより、交流電源が提供する交流電圧を受け取り、コンピュータに供給するものである。
この内蔵式ＵＰＳは、交流電/直流電コンバーター、ロングライフ電池、充電器回路、昇圧回路、電源交換回路、電圧検査測定器から構成されている。前記交流電／直流電コンバーターは該交流電源に接続し、これにより該交流電源が提供する交流電圧を受け取り、直流電圧に転換後に出力する。前記ロングライフ電池は、該交流電源が交流電圧を提供しない時、貯蔵した電圧を放出する。
前記充電器回路は該交流電/直流電コンバーター及び該ロングライフ電池に接続し、該交流電/直流電コンバーターが出力する直流電圧を受け取り後、該ロングライフ電池に対して充電する。前記昇圧回路は該ロングライフ電池に接続し、該ロングライフ電池が放出する電圧を受け取り、該電圧を上昇後に出力する。前記電源交換回路は該交流電／直流電コンバーター、該昇圧回路、該コンピュータに接続し、該コンピュータに供給する電源を切り換える。
前記電圧検査測定器は該昇圧回路と該ロングライフ電池に接続し、該ロングライフ電池の電圧を設定されたオフ電圧まで低下させた時、該昇圧回路を強制的に閉鎖し、該ロングライフ電池を保護する。
【０００３】
しかし、上記の「ロングライフ電池を提供する電力供給装置及び内蔵式ＵＰＳ」は、交流電源が交流電圧を提供していない時には、少量のロングライフ電池により放出する電圧を昇圧後、コンピュータの電力供給装置に供給し、この電力供給装置をコンピュータ内に内蔵することにより、コンピュータは交流電源が切断されても影響を受けないようにすることができる。
しかし、該装置はモニターに電源を供給しないため、コンピュータは作業を継続することができても、使用者はモニターが表示する内容を知ることができず、データを保存した上でシャットダウンすることができず、ロングライフ電池の電力量が尽きる前に電力供給が回復するのを待つことしかできない。しかも、該「ロングライフ電池を提供する電力供給装置及び内蔵式ＵＰＳ」は、コンピュータにしか電源を提供することができず、他の電子製品に電力を供給し使用に供することができないため、使用上、不便であった。
また、現今のＵＰＳシステムのロングライフ電池の多くは鉛酸電池を採用するが、該鉛酸電池は体積が大きいため、ＵＰＳシステムの体積縮小を困難にしている。
【特許文献１】中華民国特許公報公告592403号
【特許文献２】特開2002-095174号公報
【考案の開示】
【考案が解決しようとする課題】
【０００４】
本考案が解決しようとする課題は、いかにして、上記従来の欠点を排除し、電源蓄電供給器内に変圧電源制御回路及び体積が小さく、しかも、高容量高放電の電池を設置し、しかも、該電源蓄電供給器は異なる種類の電子製品に電力を供給することができるようにした携帯式多機能変圧電源蓄電供給器を提供することである。
【課題を解決するための手段】
【０００５】
上記課題を解決するため、本考案は下記の携帯式多機能変圧電源蓄電供給器を提供する。
それは、主に変圧電源制御回路、一個以上のリチウム鉄或いはリチウム重合物電池、電源蓄電供給器からなり、前記変圧電源制御回路は該電源蓄電供給器内に設置し、前記リチウム鉄或いはリチウム重合物電池は該電源蓄電供給器内に設置し、しかも該リチウム鉄或いはリチウム重合物電池と該変圧電源制御回路は相互に接続し、前記電源蓄電供給器は電源入力コネクター及び少なくとも二個以上のコネクターを設置し、しかも該コネクターは各種異なる種類のコネクターで、
これにより、該リチウム鉄或いはリチウム重合物電池の体積が小さく、しかも高容量高放電の特性と複数種の異なる種類のコネクターを備える電源蓄電供給器に加え、該電源蓄電供給器内には変圧電源制御回路を設置することで、小型携帯式で、しかも異なる種類の電子製品に電力供給が可能な変圧電源蓄電供給器を達成することができる。
【０００６】
さらに、前記電源蓄電供給器内にはリチウム鉄或いはリチウム重合物電池を設置するため、使用者は市内電力に接続できない或いは市内電力が停電である時に、該リチウム鉄或いはリチウム重合物電池により該電源蓄電供給器のコネクターに接続する各種電子製品に電力供給が可能で、携帯式多機能変圧電源蓄電供給器を構成することができる。
【考案の効果】
【０００７】
本考案の携帯式多機能変圧電源蓄電供給器によれば、一種のリチウム鉄或いはリチウム重合物電池の体積が小さく、しかも高容量高放電の特性と複数種の異なる種類のコネクターを備える電源蓄電供給器により、しかも該電源蓄電供給器内には変圧電源制御回路を設置し、こうして小型携帯式で、かつ異なる種類の電子製品に電力供給可能な変圧電源蓄電供給器を達成することができる。
【考案を実施するための最良の形態】
【０００８】
本考案の好適な携帯式多機能変圧電源蓄電供給器の実施例を、以下に図に沿って詳細に説明する。
図１、２、３に示すように、本考案の実施例の携帯式多機能変圧電源蓄電供給器(ＵＰＳシステム)は、変圧電源制御回路２、一個以上のリチウム鉄或いはリチウム重合物電池３、電源蓄電供給器１から構成されている。
前記変圧電源制御回路２は電源蓄電供給器１内に設置し、しかも、該変圧電源制御回路２の出力端21は該電源蓄電供給器１の各コネクター11と相互に接続し、該変圧電源制御回路２の入力端22は該電源蓄電供給器1の電源入力コネクター14と相互に接続する。
前記リチウム鉄或いはリチウム重合物電池３は該電源蓄電供給器１内に設置し、しかも該リチウム鉄或いはリチウム重合物電池３と該変圧電源制御回路２は相互に接続する。
【０００９】
前記電源蓄電供給器１は電源入力コネクター14及び少なくとも二個以上のコネクター11を設置し、しかも、該コネクター11は電源出力コネクター111、ＵＳＢコネクター112、Fire Wire400コネクター113、Fire Wire800コネクター114、ＲＪ-４５コネクター115、5Vコネクター116、12Vコネクター117、大４PINコネクター118、小４PINコネクター119、８PINコネクター120、ＰＣＩ-Ｅ電源出力コネクター121、S-ATA電出力コネクター122、２４PIN主電源出力コネクター123及びバッテリーコネクター124である。
【００１０】
これにより、市内電力４は該電源蓄電供給器１の電源入力コネクター14を通して該電源蓄電供給器１内の変圧電源制御回路２に電力供給し、該変圧電源制御回路２は該市内電力４を利用し、該リチウム鉄或いはリチウム重合物電池３に充電を行う。同時に、コンピュータ５とモニター６に電力供給し、或いは、他のコネクター11により各種電子製品に電力を供給する。
市内電力４が停電すると、前記変圧電源制御回路２は切り換えを行い、前記リチウム鉄或いはリチウム重合物電池３によりコンピュータ５とモニター６、或いは、他のネクター11に接続する電子製品に電力供給する。
よって、本考案の実施例は、コンピュータ５とモニター６に同時に電力供給可能であるため、使用者は停電であっても継続しコンピュータを使用可能で、重要データを保存後に改めてシャットダウンを行うことができる。
【００１１】
本考案の実施例は、前記リチウム鉄或いはリチウム重合物電池３の体積が小さく、しかも高容量高放電の特性と複数種の異なる種類のコネクター11を備える電源蓄電供給器1に加え、該電源蓄電供給器１内には変圧電源制御回路２を設置することで、小型携帯式で、しかも異なる種類の電子製品に電力供給が可能な変圧電源蓄電供給器を達成することができる。
さらに、前記電源蓄電供給器１内にはリチウム鉄或いはリチウム重合物電池３を設置するため、使用者が携帯し外出或いは市内電力４に接続できない、或いは、自動車バッテリーに電力がない時には、該電源蓄電供給器1内のリチウム鉄或いはリチウム重合物電池３により該電源蓄電供給器1のコネクター11上に接続する各種電子製品に供給し、及び該バッテリーコネクター124により自動車発動時に必要とする電力を提供することができる。こうして携帯式多機能変圧電源蓄電供給器提供の目的を達成する。
【００１２】
さらに、図１、２、５に示すように、本考案の実施例は、電源蓄電供給器１上にはディスプレー12を設置し、しかも該ディスプレー12は該変圧電源制御回路2と相互に接続し、こうしてリチウム鉄或いはリチウム重合物電池3の電力量などの任意の情報内容を表示することができる。
また、図３、４に示すように、本考案の実施例は、さらに電源蓄電供給器１上に一個以上の凹槽15を設置し、しかも該凹槽15には可動ハンドル13を設置し、こうして使用者が携帯時に該電源蓄電供給器1を取り出す時の便を図る。
【００１３】
本考案の実施例の携帯式多機能変圧電源蓄電供給器の作用・効果を明確にするために、以下に公知構造との比較分析を行う。
公知技術：
１. 一般のＵＰＳシステムが、使用するロングライフ電池は鉛酸電池であるため、体積が大きい。
２. 鉛酸電池は、ＵＰＳシステムを重くしている。
３. 携帯に不便である。
４. 単一電子製品にしか使用できない。
５. 各種電子製品の使用に供することができず、応用範囲が狭い。
本考案の長所：
１. リチウム鉄或いはリチウム重合物電池の体積が小さく、しかも、高容量高放電の特性を利用するため、ＵＰＳシステムの体積を縮小することができる。
２. 重量を軽減することができる。
３. 携帯に便利である。
４. 多種の電子製品に使用することができる。
５. 応用範囲が広い。
なお、本考案の特徴を損なうものでなければ、前記実施例に限定されないことは、勿論である。
【図面の簡単な説明】
【００１４】
【図１】本考案の実施例の構造ブロックチャートである。
【図２】本考案の実施例の電源蓄電供給器の正面図である。
【図３】本考案の実施例の電源蓄電供給器の背面図である。
【図４】本考案の実施例の電源蓄電供給器に凹槽と可動ハンドルを設置する指示図である。
【図５】本考案の実施例の立体図である。
【符号の説明】
【００１５】
1  電源蓄電供給器
11  コネクター
12  ディスプレー
13  可動ハンドル
14  電源入力コネクター
15  凹槽
2  変圧電源制御回路
21  出力端
22  入力端
3  リチウム鉄或いはリチウム重合物電池
4  市内電力
5  コンピュータ
6  モニター
111  電源出力コネクター
112  USBコネクター
113  Fire Wire400コネクター
114  Fire Wire800コネクター
115  RJ-45コネクター
116  5Vコネクター
117  12Vコネクター
118  大4PINコネクター
119  小4PINコネクター
120  8PINコネクター
121  PCI-E電源出力コネクター
122  S-ATA電源出力コネクター
123  24PIN主電源出力コネクター
124  バッテリーコネクター
【図１】
0003140020.tif 000003
【図２】
0003140020.tif 000004
【図３】
0003140020.tif 000005
【図４】
0003140020.tif 000006
【図５】
0003140020.tif 000007
【手続補正書】
【提出日】平成19年12月27日(2007.12.27)
【手続補正１】
【補正対象書類名】実用新案登録請求の範囲
【補正対象項目名】請求項２
【補正方法】変更
【補正の内容】
【請求項２】
前記電源蓄電供給器のコネクターは、電源出力コネクター、ＵＳＢコネクター、Fire Wire（登録商標）400コネクター、Fire Wire（登録商標）800コネクター、ＲＪ-４５コネクター、５Ｖコネクター、１２Ｖコネクター、大４PINコネクター、小４PINコネクター、８PINコネクター、ＰＣＩ-Ｅ電源出力コネクター、Ｓ-ＡＴＡ電源出力コネクター、２４PIN主電源出力コネクター或いはバッテリーコネクターであることを特徴とする請求項１記載の携帯式多機能変圧電源蓄電供給器。
【手続補正２】
【補正対象書類名】明細書
【補正対象項目名】０００９
【補正方法】変更
【補正の内容】
【０００９】
前記電源蓄電供給器１は電源入力コネクター14及び少なくとも二個以上のコネクター11を設置し、しかも、該コネクター11は電源出力コネクター111、ＵＳＢコネクター112、Fire Wire（登録商標）400コネクター113、Fire Wire（登録商標）800コネクター114、ＲＪ-４５コネクター115、5Vコネクター116、12Vコネクター117、大４PINコネクター118、小４PINコネクター119、８PINコネクター120、ＰＣＩ-Ｅ電源出力コネクター121、S-ATA電出力コネクター122、２４PIN主電源出力コネクター123及びバッテリーコネクター124である。
【手続補正３】
【補正対象書類名】明細書
【補正対象項目名】００１５
【補正方法】変更
【補正の内容】
【００１５】
1  電源蓄電供給器
11  コネクター
12  ディスプレー
13  可動ハンドル
14  電源入力コネクター
15  凹槽
2  変圧電源制御回路
21  出力端
22  入力端
3  リチウム鉄或いはリチウム重合物電池
4  市内電力
5  コンピュータ
6  モニター
111  電源出力コネクター
112  USBコネクター
113  Fire Wire（登録商標）400コネクター
114  Fire Wire（登録商標）800コネクター
115  RJ-45コネクター
116  5Vコネクター
117  12Vコネクター
118  大4PINコネクター
119  小4PINコネクター
120  8PINコネクター
121  PCI-E電源出力コネクター
122  S-ATA電源出力コネクター
123  24PIN主電源出力コネクター
124  バッテリーコネクター